(57)【要約】【課題】焼却物ピットから焼却物をクレーンで掴み上げ、投入ホッパーに焼却物を上方から投入する際に、投入ホッパーの開口部から垂れ下がった樹脂テープや紐等の長尺体をカッターで切断する焼却物投入ホッパー用長尺体切断装置において、長尺体を確実に切断できるようにする。【解決手段】焼却物投入ホッパー用長尺体切断装置１を、焼却物投入ホッパーＨの開口部Ｈ１の焼却物ピットＰ側に配置され、長尺体Ｔを受ける長尺体受け部２と、焼却物投入ホッパーＨの開口部Ｈ１の焼却物ピットＰ側に配置されたガイドレール６，６と、ガイドレール６，６に沿って移動するスライダ５と、スライダ５に回転自在に設けられ、長尺体受け部２で受けられた長尺体Ｔを切断するカッター４と、カッター４を回転させるカッター用モータ４１と、スライダ５をガイドレール６，６に沿って移動させるスライダ移動機構とで構成する。【選択図】図３
2009250546.tif 000002
【特許請求の範囲】
【請求項１】
焼却物ピット内に溜められた焼却物を投入する焼却物投入ホッパーの開口部に設けられ、該開口部から垂れ下がる長尺体を切断する焼却物投入ホッパー用長尺体切断装置において、
前記焼却物投入ホッパーの開口部の前記焼却物ピット側に配置され、前記長尺体を受ける長尺体受け部と、
前記焼却物投入ホッパーの開口部の前記焼却物ピット側に配置されたガイドレールと、
該ガイドレールに沿って移動するスライダと、
該スライダに回転自在に設けられ、前記長尺体受け部で受けられた長尺体を切断するカッターと、
該カッターを回転させるカッター用モータと、
前記スライダを前記ガイドレールに沿って移動させるスライダ移動機構とを備えることを特徴とする焼却物投入ホッパー用長尺体切断装置。
【請求項２】
請求項１記載の焼却物投入ホッパー用長尺体切断装置であって、
前記長尺体受け部は、前記焼却物投入ホッパーの開口部の開口縁から焼却物ピットに向かって延びる板状に形成されると共に、前記ガイドレールと平行に延びるスリットを有し、
前記ガイドレール、前記スライダ、前記カッター用モータ、前記スライダ移動機構は、前記長尺体受け部の内側に配置され、
前記カッターの一部はスリットから前記長尺体受け部の外側へ露出して、前記長尺体受け部の外面で受けられた長尺体を切断することを特徴とする焼却物投入ホッパー用長尺体切断装置。
【発明の詳細な説明】
【技術分野】
【０００１】
本発明は、例えば、クレーンで掴み上げた焼却物を、投入ホッパーに投入する際に、投入ホッパーの開口部から垂れ下がる樹脂テープや紐等の焼却物中の長尺体をカッターで切断する長尺体切断装置に関する。
【背景技術】
【０００２】
ゴミ焼却施設においては、ゴミ収集車等により収集された焼却物は、焼却物ピットに溜められる。焼却物ピットに溜められた焼却物は、クレーンで掴み上げられて焼却物投入ホッパーに投入される。焼却物投入ホッパーにはダンパが設けられており、ダンパが開くことで、焼却物投入ホッパーに投入された焼却物が焼却炉内に導かれる。焼却炉内に導かれた焼却物は焼却炉にて焼却される。焼却炉にて焼却物を焼却する際には、焼却物投入ホッパーのダンパを閉じることにより、焼却炉内に過度の空気が供給されることを防ぎ、不完全燃焼の発生を防止している。焼却炉で焼却中の間に、焼却物投入ホッパーには、次に焼却される焼却物を焼却物ピットからクレーンにより掴み上げて投入しておく。
【０００３】
ところで、焼却物の中には、樹脂テープや紐等の長尺体も多く含まれている。この長尺体は、焼却物をクレーンで掴み上げ投入ホッパーに投入する際に、投入ホッパーの開口部の開口縁から焼却物ピットに向かって垂れ下がることがある。投入ホッパーの開口部から長尺体が垂れ下がっていると、ダンパを開いて投入ホッパー内の焼却物を焼却炉内に導く際に、長尺体が投入ホッパーの開口縁に引掛かって投入ホッパー内に残ってしまい、それが邪魔となってダンパを完全に閉めることができず、焼却炉内に過度の空気が供給されて不完全燃焼が発生する虞がある。従って、長尺体が投入ホッパーの開口縁から垂れ下がっている場合には、作業者が長尺体を手作業で切断する必要があり、面倒であった。
【０００４】
そこで、従来、投入ホッパーの開口部に設けられ、長尺体を切断する切断装置が知られている（例えば、特許文献１参照）。
【０００５】
特許文献１の切断装置は、投入ホッパーの開口部から焼却物ピットに向かって垂れ下がる長尺体を寄せ集め、長尺体の束が切断部で逃げないように押え込んで固定する押え部材と、押え部材を移動させるための押え部材駆動源と、寄せ集められた長尺体の束を受け、押え部材の長尺体押え反力を受けるための受け機構と、投入ホッパーから垂れ下がる長尺体を受けると共に、押え部材の移動を案内するガイドレールと、押え部材で固定された長尺体の束を切断するカッターと、該カッターを駆動させるカッター駆動源とを備える。
【０００６】
これによれば、ガイドレールに沿って押え部材を移動させることにより、長尺体を寄せ集めてカッターで長尺体を切断することができ、作業者が手作業で長尺体を切断する手間が省け、便利である。
【特許文献１】特許第２８３５３６２号公報
【発明の開示】
【発明が解決しようとする課題】
【０００７】
従来の切断装置は、押え部材の移動を案内するガイドレールで長尺体を受け、押え部材の移動により長尺体を寄せ集めてからカッターで切断する。ここで、樹脂テープ等の長尺体は他の焼却物と絡まっている場合がある。このため、押え部材により長尺体を寄せ集めようとしても、長尺体の束の重みで押え部材が動かなくなってしまうことがあった。この場合、押え部材でカッターの位置まで長尺体の束を寄せ集めることができないため、長尺体をカッターで切断することができず、作業者の手作業により長尺体を切断する必要がある。
【０００８】
又、押え部材により寄せ集められた長尺体の束は、１つ１つの長尺体を切断するのと比較して切断し難くなる。このため、従来の切断装置では、押え部材により寄せ集められた長尺体の束をカッターで切断できない場合があった。この場合、作業者が手作業により長尺体の束を切断することとなるが、押え部材により寄せ集められた長尺体の束は、長尺体同士が複雑に絡み合っていることがあり、作業者が手作業で長尺体の束を切断するのは困難となることがある。
【０００９】
本発明は、以上の点に鑑み、長尺体を確実に切断することができる焼却物投入ホッパー用長尺体切断装置を提供することを目的とする。
【課題を解決するための手段】
【００１０】
上記目的を達成するため、本発明は、焼却物ピット内に溜められた焼却物を投入する焼却物投入ホッパーの開口部に設けられ、開口部から垂れ下がる長尺体を切断する焼却物投入ホッパー用長尺体切断装置において、焼却物投入ホッパーの開口部の焼却物ピット側に配置され、長尺体を受ける長尺体受け部と、焼却物投入ホッパーの開口部の焼却物ピット側に配置されたガイドレールと、ガイドレールに沿って移動するスライダと、スライダに回転自在に設けられ、長尺体受け部で受けられた長尺体を切断するカッターと、カッターを回転させるカッター用モータと、スライダをガイドレールに沿って移動させるスライダ移動機構とを備えることを特徴とする。
【００１１】
かかる構成によれば、従来のように長尺体を押え部材で寄せ集めることなく、スライダをガイドレールに沿って移動させるだけで、スライダに設けられたカッターで長尺体受け部で受けられた長尺体を順次切断することができる。従って、本発明によれば、従来よりも確実に長尺体を切断することができる。
【００１２】
ここで、ガイドレールが露出していると、焼却物に含まれる粘着物質等がガイドレールに付着し、この粘着物質等が邪魔となりスライダがガイドレールに沿って移動できなくなる虞がある。この場合、ガイドレールを清掃する必要があり、メンテナンスの負担が大きい。又、ガイドレールが焼却物と接触する虞もあり、最悪の場合、ガイドレール等が破損してしまうことも考えられる。
【００１３】
この場合、長尺体受け部を、焼却物投入ホッパーの開口部の開口縁から焼却物ピットに向かって延びる板状に形成すると共に、長尺体受け部にガイドレールと平行に延びるスリットを形成し、ガイドレール、スライダ、カッター用モータ、スライダ移動機構を、長尺体受け部の内側に配置し、カッターの一部をスリットから長尺体受け部の外側へ露出させて、長尺体受け部の外面で受けられた長尺体を切断するように構成すれば、ガイドレールは長尺体受け部で覆われるため、ガイドレールに粘着物質等が付着し難くなり、メンテナンスの負担を軽減させることができる。又、ガイドレールは長尺体受け部の内側に配置されるため、ガイドレールに焼却物が接触することを防止することができ、焼却物の接触に伴うガイドレールの破損を防止することができる。
【発明を実施するための最良の形態】
【００１４】
本発明の焼却物投入ホッパー用長尺体切断装置の実施形態について、図１〜図４を参照して説明する。
【００１５】
図１に示す符号Ｐは、ゴミ収集車等が収集した焼却物Ｇを溜めておく焼却物ピットである。焼却物ピットＰに溜められた焼却物Ｇは、クレーンＣによって掴み上げられ、焼却物ピットＰの上方に位置する焼却物投入ホッパーＨに、その上面開口部Ｈ１から投入される。投入ホッパーＨ内にはダンパＤが設けられており、ダンパＤが開かれることにより、投入ホッパーＨ内の焼却物Ｇは図外の焼却炉に導かれ焼却される。
【００１６】
焼却物Ｇには樹脂テープや紐などの長尺体Ｔが含まれている。図２に示すように、クレーンＣで焼却物Ｇを掴み上げ、投入ホッパーＨに投入する際に、この長尺体Ｔが投入ホッパーＨの開口部Ｈ１の開口縁から焼却物ピットＰに向かって垂れ下がる。この長尺体Ｔを切断する為に、投入ホッパーＨの開口部Ｈ１の焼却物ピットＰ側には、実施形態の焼却物投入ホッパー用長尺体切断装置１が配置されている。
【００１７】
焼却物投入ホッパー用長尺体切断装置１は、図３に示すように、投入ホッパーＨの開口部Ｈ１のピットＰ側の開口縁から焼却物ピットＰに向かって傾斜させて配置され、投入ホッパーＨの開口部Ｈ１から焼却物ピットＰに向かって垂れ下がる長尺体Ｔを外面で受ける板状の長尺体受け部２と、長尺体受け部２の内側に配置された切断装置本体３とで構成される。長尺体受け部２には、水平方向に延びるスリット２ａが形成されている。
【００１８】
切断装置本体３は、長尺体受け部２のスリット２ａから一部が露出し、円盤状で周縁部に刃部を備えるカッター４を備える。カッター４は水平に配置されており、その下方には、正逆回転自在のカッター用モータ４１が、その回転軸４１ａが垂直となるように配置されている。回転軸４１ａはカッター４に連結され、カッター４はカッター用モータ４１の駆動により回転される。
【００１９】
カッター用モータ４１は、その底部でスライダ５に連結されている。切断装置本体３は、図３、図４に示すように、スリット２ａと平行に延び両端を側板３１，３１に固定された一対のガイドレール６，６を備え、スライダ５は、ガイドレール６，６に沿って移動自在とされている。側板３１，３１は台部３２上に固定されている。
【００２０】
又、切断装置本体３は、図４に示すように、スライダ５の下方に位置させて、ガイドレール６，６と平行に延び、両端部を側板３１，３１で回転自在に軸支されたボールネジ７を備える。ボールネジ７には、スライダ５と連結部材５ａを介して連結するナット５ｂが螺合しており、ボールネジ７が回転することにより、スライダ５がガイドレール６，６に沿って移動する。
【００２１】
又、切断装置本体３は、図３に示すように、ボールネジ７を回転させてスライダ５を移動させるための正逆回転自在のボールネジ用モータ８を備える。ボールネジ用モータ８の回転軸には駆動側プーリ８ａが設けられ、ボールネジ７の一端には従動側プーリ７ａが設けられている。駆動側プーリ８ａと従動側プーリ７ａにはベルト９が巻回され、駆動側プーリ８ａの回転は、ベルト９を介して従動側プーリ７ａに伝達される。実施形態においては、ボールネジ用モータ８、駆動側プーリ８ａ、ベルト９、従動側プーリ７ａ、ボールネジ７、ナット５ｂによりスライダ移動機構が構成される。
【００２２】
カッター用モータ４１及びボールネジ用モータ８は、図外のリモコンの遠隔操作により駆動される。リモコンの遠隔操作によりカッター用モータ４１及びボールネジ用モータ８を駆動させると、カッター４が回転すると共に、ボールネジ７が回転し、スライダ５がガイドレール６，６に沿って移動して、スリット２ａから長尺体受け部２の外方に露出するカッター４により、長尺体受け部２の外面で受けられた長尺体Ｔが切断される。
【００２３】
実施形態の焼却物投入ホッパー用長尺体切断装置１によれば、従来のように樹脂テープや紐などの長尺体Ｔを押え部材で寄せ集めることなく、カッター４が設けられたスライダ５をガイドレール６，６に沿って移動させるだけで、長尺体Ｔを順次切断することができる。従って、長尺体Ｔを確実に切断することができる。
【００２４】
又、実施形態の切断装置１では、焼却物投入ホッパーＨの開口縁から焼却物ピットＰに向かって延びる長尺体受け部２を設け、長尺体受け部２に、ガイドレール６，６と平行に延びるスリット２ａを形成し、ガイドレール６，６、及びスライダ５、カッター用モータ４１、スライダ移動機構を構成するボールネジ用モータ８、駆動側プーリ８ａ、ベルト９、従動側プーリ７ａ、ボールネジ７、ナット５ｂを、長尺体受け部２の内側に配置し、カッター４の一部をスリット２ａから長尺体受け部２の外方へ露出させて、長尺体Ｔをカッター４により切断するようにしている。
【００２５】
このため、焼却物Ｇに含まれる粘着物質等は、長尺体受け部２に付着し、ガイドレール６，６には付着し難くなり、スライダ５の移動が粘着物質等で阻害されることを抑制でき、メンテナンスの負担を軽減させることができる。又、ガイドレール６，６等の切断装置本体３が長尺体受け部２内に配置されることにより、ガイドレール６，６等の切断装置本体３に焼却物Ｇが接触することを防止することができ、焼却物Ｇの接触に伴うガイドレール６，６等の切断装置本体３の破損を防止することができる。
【００２６】
尚、実施形態においては、円盤状で周縁部に刃部を備えるカッターを用いているが、これに限られず、楕円形等の他の形状のカッター、又はチェーンソー等の他の種類のカッターを用いても、同様に本発明の効果を得ることができる。
【００２７】
又、実施形態においては、スライダ移動機構として、ボールネジ７を用いたものを説明しているが、これに限られず、シリンダ等を用いてスライダ移動機構を構成しても、同様に本発明の効果を得ることができる。
【図面の簡単な説明】
【００２８】
【図１】本発明の実施形態の焼却物投入ホッパー用長尺体切断装置を用いた焼却施設の一部を示す模式図。
【図２】実施形態の焼却物投入ホッパー用長尺体切断装置を示す斜視図。
【図３】実施形態の焼却物投入ホッパー用長尺体切断装置を示す側面図。
【図４】実施形態の焼却物投入ホッパー用長尺体切断装置を示す正面図。
【符号の説明】
【００２９】
１…焼却物投入ホッパー用長尺体切断装置、  ２…長尺体受け部、  ２ａ…スリット、  ３…切断装置本体、  ３１…側板、  ３２…台部、  ４…カッター、  ４１…カッター用モータ、  ４１ａ…回転軸、  ５…スライダ、  ５ａ…連結部材、  ５ｂ…ナット、  ６…ガイドレール、  ７…ボールネジ、  ７ａ…従動側プーリ、  ８…ボールネジ用モータ、  ８ａ…駆動側プーリ、  ９…ベルト、  Ｃ…クレーン、  Ｄ…ダンパ、  Ｇ…焼却物、  Ｈ…焼却物投入ホッパー、  Ｈ１…上面開口部、  Ｐ…焼却物ピット、  Ｔ…長尺体。
【図１】
2009250546.tif 000003
【図２】
2009250546.tif 000004
【図３】
2009250546.tif 000005
【図４】
2009250546.tif 000006